(57)【特許請求の範囲】
【請求項１】
車両(２)の車体フレームに支持され、燃料を貯留する燃料タンク(19)と、
同燃料タンク(19)の底板(25)の開口(31)を塞ぐように下方から取付けられる燃料ポンプユニット(30)と、
同燃料ポンプユニット(30)の一部をなして前記燃料タンク(19)内に設置され、エンジン(10)の燃料噴射装置(47)へ燃料を圧送する燃料ポンプ(37)と、
前記燃料タンク(19)の下方に配置され、同燃料タンク(19)内と連通する上流側フィルタ配管(42Ａ)と、
前記燃料ポンプ(37)と接続する下流側フィルタ配管(42Ｂ)と、
前記上流側フィルタ配管(42Ａ)と前記下流側フィルタ配管(42Ｂ)との間に接続され、前記燃料タンク(19)から前記燃料ポンプ(37)へ供給される燃料を濾過する燃料フィルタユニット(41)とを備える車両の燃料供給装置において、
前記燃料フィルタユニット(41)はフィルタケース(57)を備え、
同フィルタケース(57)は、一端側に、前記上流側フィルタ配管(42Ａ)を介して前記燃料タンク(19)から供給される燃料が流入する流入口(60)を備え、他端側に、前記下流側フィルタ配管(42Ｂ)を介して前記燃料ポンプ(37)へ燃料を送出するための流出口(61)を備え、
前記流入口(60)と前記流出口(61)との間にフィルタエレメント(62)が収容され、
前記車両(２)が直立状態にある時、前記燃料フィルタユニット(41)の流入口(60)は流出口(61)より高い位置に配置され、
前記上流側フィルタ配管(42Ａ)は上流側ほど高所に配置され、
前記燃料ポンプユニット(30)の下部に、前記燃料タンク(19)内部に連通する燃料一時貯留部(34)が設けられ、
同燃料一時貯留部(34)に、前記上流側フィルタ配管(42Ａ)が連結される燃料吸出し管(39)が設けられ、
同燃料吸出し管(39)は、前記燃料一時貯留部(34)の後下方に位置するよう設けられることを特徴とする車両の燃料供給装置。
【請求項２】
前記車両(２)が停車し、サイドスタンド(71)で支持されている時に、前記燃料フィルタユニット(41)の流入口(60)は流出口(61)より高い位置にあることを特徴とする請求項１に記載の車両の燃料供給装置。
【請求項３】
前記上流側フィルタ配管(42Ａ)の上流端は、前記サイドスタンド(71)と同じ側に配置されていることを特徴とする請求項２に記載の車両の燃料供給装置。
【請求項４】
前記車両(２)が停車し、メインスタンド(70)および前記サイドスタンド(71)の何れで支持されている時でも、前記下流側フィルタ配管(42Ｂ)は、前記燃料フィルタユニット(41)の前記流出口(61)から上方へ延出するよう配置されていることを特徴とする請求項１乃至請求項３の何れかに記載の車両の燃料供給装置。
【請求項５】
前記燃料吸出し管(39)は、前記車両(２)がメインスタンド(70)およびサイドスタンド(71)の何れで支持された時でも、前記燃料一時貯留部(34)の後下方に位置し、かつ前記サイドスタンド(71)と同じ側に位置するよう設けられることを特徴とする請求項１乃至請求項４の何れかに記載の車両の燃料供給装置。
【請求項６】
前記流入口(60)が上側、前記流出口(61)が下側となるよう、前記燃料フィルタユニット(41)の長手方向を上下方向にして設置されることを特徴とする請求項１乃至請求項５の何れかに記載の車両の燃料供給装置。
【請求項７】
燃料フィルタユニット(75)の側面上部に流入口(79)が形成され、同燃料フィルタユニット(75)の一端側に流出口(80)が形成されていることを特徴とする請求項１乃至請求項５の何れかに記載の車両の燃料供給装置。
【請求項８】
前記車両(２)の燃料は、ガソリン、またはアルコール、またはガソリンとアルコールの混合物であり、燃料噴射は、ガソリンとアルコールとの割合に応じて制御されることを特徴とする請求項１乃至請求項７の何れかに記載の車両の燃料供給装置。
【請求項９】
車両(２)の車体フレームに支持され、燃料を貯留する燃料タンク(19)と、
同燃料タンク(19)の底板(25)の開口(31)を塞ぐように下方から取付けられる燃料ポンプユニット(30)と、
同燃料ポンプユニット(30)の一部をなして前記燃料タンク(19)内に設置され、エンジン(10)の燃料噴射装置(47)へ燃料を圧送する燃料ポンプ(37)と、
前記燃料タンク(19)の下方に配置され、同燃料タンク(19)内と連通する上流側フィルタ配管(42Ａ)と、
前記燃料ポンプ(37)と接続する下流側フィルタ配管(42Ｂ)と、
前記上流側フィルタ配管(42Ａ)と前記下流側フィルタ配管(42Ｂ)との間に接続され、前記燃料タンク(19)から前記燃料ポンプ(37)へ供給される燃料を濾過する燃料フィルタユニット(41)とを備える車両の燃料供給装置において、
前記燃料ポンプユニット(30)の下部に、前記燃料タンク(19)内部に連通する燃料一時貯留部(34)が設けられ、
前記燃料一時貯留部(34)には、前記上流側フィルタ配管(42Ａ)に接続される燃料吸出し管(39)が設けられ、
前記燃料フィルタユニット(41)はフィルタケース(57)を備え、
同フィルタケース(57)は、一端側に、前記上流側フィルタ配管(42Ａ)を介して前記燃料タンク(19)から供給される燃料が流入する流入口(60)を備え、他端側に、前記下流側フィルタ配管(42Ｂ)を介して前記燃料ポンプ(37)へ燃料を送出するための流出口(61)を備え、
前記流入口(60)と前記流出口(61)との間にフィルタエレメント(62)が収容され、
前記車両(２)が直立状態にある時、前記燃料フィルタユニット(41)の流入口(60)は流出口(61)より高い位置に配置され、
前記上流側フィルタ配管(42Ａ)は上流側ほど高所に配置され、
前記燃料フィルタユニット(41)は、前記エンジン(10)とその上方に位置する前記燃料タンク(19)との間のスペースに配置され、
前記下流側フィルタ配管(42Ｂ)を前記燃料ポンプ(37)に接続する燃料吸込み管(40)が前記燃料ポンプユニット(30)に設けられ、前記燃料吸出し管(39)と前記燃料吸込み管(40)とは、車両(２)の左右方向に向けて互いに反対方向に配設され、前記燃料吸出し管(39)と前記燃料吸込み管(40)との間に、前記上流側フィルタ配管(42Ａ)と前記下流側フィルタ配管(42Ｂ)とが湾曲ループ状をなして接続されることを特徴とする車両の燃料供給装置。
【請求項１０】
前記上流側フィルタ配管(42Ａ)より下位に延びるように、前記燃料ポンプ(37) から前記燃料噴射装置(47)へ燃料を圧送する燃料供給ホース(49)が配置されることを特徴とする請求項９記載の車両の燃料供給装置。
【発明の詳細な説明】
【技術分野】
【０００１】
本発明は、車両の燃料供給装置に関するものであり、特に同装置に設けられる燃料フィルタ内のエア抜け性の向上を図った燃料供給装置に関する。
【背景技術】
【０００２】
揮発性が高い燃料では、車両停止中に燃料フィルタ内の燃料が気化し燃料フィルタ内にベーパーが発生する。燃料は燃料タンクから燃料フィルタへ自重で供給されるので、ベーパーによってフィルタケースの入口が塞がれると、燃料が供給できなくなる。従来は、フィルタケースの側面にガス抜き管を設け、フィルタケース内のベーパーを燃料タンク内へ戻すことが行われていた（例えば、特許文献１参照。）。このため、構成が複雑になっていた。
【先行技術文献】
【特許文献】
【０００３】
【特許文献１】実開昭６１-１９４７６６号公報
【発明の概要】
【発明が解決しようとする課題】
【０００４】
本発明は、ベーパー戻し専用配管を設けることなく、ベーパーを燃料タンクへ戻す燃料供給装置を提供しようとするものである。
【課題を解決するための手段】
【０００５】
本発明は上記課題を解決したものであって、請求項１に記載の発明は、
車両(２)の車体フレームに支持され、燃料を貯留する燃料タンク(19)と、同燃料タンク(19)の底板(25)の開口(31)を塞ぐように下方から取付けられる燃料ポンプユニット(30)と、同燃料ポンプユニット(30)の一部をなして前記燃料タンク(19)内に設置され、エンジン(10)の燃料噴射装置(47)へ燃料を圧送する燃料ポンプ(37)と、前記燃料タンク(19)の下方に配置され、同燃料タンク(19)内と連通する上流側フィルタ配管(42Ａ)と、前記燃料ポンプ(37)と接続する下流側フィルタ配管(42Ｂ)と、前記上流側フィルタ配管(42Ａ)と前記下流側フィルタ配管(42Ｂ)との間に接続され、前記燃料タンク(19)から前記燃料ポンプ(37)へ供給される燃料を濾過する燃料フィルタユニット(41)とを備える車両の燃料供給装置において、前記燃料フィルタユニット(41)はフィルタケース(57)を備え、同フィルタケース(57)は、一端側に、前記上流側フィルタ配管(42Ａ)を介して前記燃料タンク(19)から供給される燃料が流入する流入口(60)を備え、他端側に、前記下流側フィルタ配管(42Ｂ)を介して前記燃料ポンプ(37)へ燃料を送出するための流出口(61)を備え、前記流入口(60)と前記流出口(61)との間にフィルタエレメント(62)が収容され、前記車両(２)が直立状態にある時、前記燃料フィルタユニット(41)の流入口(60)は流出口(61)より高い位置に配置され、前記上流側フィルタ配管(42Ａ)は上流側ほど高所に配置され、前記燃料ポンプユニット(30)の下部に、前記燃料タンク(19)内部に連通する燃料一時貯留部(34)が設けられ、同燃料一時貯留部(34)に、前記上流側フィルタ配管(42Ａ)が連結される燃料吸出し管(39)が設けられ、同燃料吸出し管(39)は、前記燃料一時貯留部(34)の後下方に位置するよう設けられることを特徴とする車両の燃料供給装置である。
【０００６】
請求項２に記載の発明は、請求項１に記載の車両(２)の燃料供給装置(１)において、
前記車両(２)が停車し、サイドスタンド(71)で支持されている時に、前記燃料フィルタユニット(41)の流入口(60)は流出口(61)より高い位置にあり、
且つ、前記上流側フィルタ配管(42Ａ)は上流側ほど高所に配置されていることを特徴とするものである。
【０００７】
請求項３に記載の発明は、請求項２に記載の車両(２)の燃料供給装置(１)において、
前記上流側フィルタ配管(42Ａ)の上流端は、前記サイドスタンド(71)と同じ側に配置されていることを特徴とするものである。
【０００８】
請求項４に記載の発明は、請求項１乃至請求項３の何れかに記載の車両(２)の燃料供給装置(１)において、
前記車両(２)が停車し、メインスタンド(70)及び前記サイドスタンド(71)の何れで支持されている時でも、前記下流側フィルタ配管(42Ｂ)は、前記燃料フィルタユニット(41)の前記流出口(61)から上方へ延出するよう配置されていることを特徴とするものである。
【０００９】
請求項５に記載の発明は、請求項１乃至請求項４の何れかに記載の車両の燃料供給装置において、前記燃料吸出し管(39)は、前記車両(２)がメインスタンド(70)およびサイドスタンド(71)の何れで支持された時でも、前記燃料一時貯留部(34)の後下方に位置し、かつ前記サイドスタンド(71)と同じ側に位置するよう設けられることを特徴とする。
【００１０】
請求項６に記載の発明は、請求項１乃至請求項５の何れかに記載の車両(２)の燃料供給装置(１)において、
前記流入口(60)を上側、前記流出口(61)を下側となるよう、前記燃料フィルタユニット(41)の長手方向を上下方向にして設置されることを特徴とするものである。
【００１１】
請求項７に記載の発明は、請求項１乃至請求項５の何れかに記載の車両(２)の燃料供給装置(１)において、
燃料フィルタユニット(75)の側面上部に流入口(79)が形成され、同燃料フィルタユニット(75)の一端側に流出口(80)が形成されていることを特徴とするものである。
【００１２】
請求項８に記載の発明は、請求項１乃至請求項７の何れかに記載の車両の燃料供給装置において、前記車両(２)の燃料は、ガソリン、またはアルコール、またはガソリンとアルコールの混合物であり、燃料噴射は、ガソリンとアルコールとの割合に応じて制御されることを特徴とする。
請求項９に記載の発明は、
車両(２)の車体フレームに支持され、燃料を貯留する燃料タンク(19)と、同燃料タンク(19)の底板(25)の開口(31)を塞ぐように下方から取付けられる燃料ポンプユニット(30)と、同燃料ポンプユニット(30)の一部をなして前記燃料タンク(19)内に設置され、エンジン(10)の燃料噴射装置(47)へ燃料を圧送する燃料ポンプ(37)と、前記燃料タンク(19)の下方に配置され、同燃料タンク(19)内と連通する上流側フィルタ配管(42Ａ)と、前記燃料ポンプ(37)と接続する下流側フィルタ配管(42Ｂ)と、前記上流側フィルタ配管(42Ａ)と前記下流側フィルタ配管(42Ｂ)との間に接続され、前記燃料タンク(19)から前記燃料ポンプ(37)へ供給される燃料を濾過する燃料フィルタユニット(41)とを備える車両の燃料供給装置において、前記燃料ポンプユニット(30)の下部に、前記燃料タンク(19)内部に連通する燃料一時貯留部(34)が設けられ、前記燃料一時貯留部(34)には、前記上流側フィルタ配管(42Ａ)に接続される燃料吸出し管(39)が設けられ、前記燃料フィルタユニット(41)はフィルタケース(57)を備え、同フィルタケース(57)は、一端側に、前記上流側フィルタ配管(42Ａ)を介して前記燃料タンク(19)から供給される燃料が流入する流入口(60)を備え、他端側に、前記下流側フィルタ配管(42Ｂ)を介して前記燃料ポンプ(37)へ燃料を送出するための流出口(61)を備え、前記流入口(60)と前記流出口(61)との間にフィルタエレメント(62)が収容され、前記車両(２)が直立状態にある時、前記燃料フィルタユニット(41)の流入口(60)は流出口(61)より高い位置に配置され、前記上流側フィルタ配管(42Ａ)は上流側ほど高所に配置され、前記燃料フィルタユニット(41)は、前記エンジン(10)とその上方に位置する前記燃料タンク(19)との間のスペースに配置され、前記下流側フィルタ配管(42Ｂ)を前記燃料ポンプ(37)に接続する燃料吸込み管(40)が前記燃料ポンプユニット(30)に設けられ、前記燃料吸出し管(39)と前記燃料吸込み管(40)とは、車両(２)の左右方向に向けて互いに反対方向に配設され、前記燃料吸出し管(39)と前記燃料吸込み管(40)との間に、前記上流側フィルタ配管(42Ａ)と前記下流側フィルタ配管(42Ｂ)とが湾曲ループ状をなして接続されることを特徴とする車両の燃料供給装置である。
また、請求項１０に記載の発明は、請求項８記載の車両の燃料供給装置において、前記上流側フィルタ配管(42Ａ)より下位に延びるように、前記燃料ポンプ(37) から前記燃料噴射装置(47)へ燃料を圧送する燃料供給ホース(49)が配置されることを特徴とする。
【発明の効果】
【００１３】
請求項１の発明によれば、車両(２)がメインスタンド(70)で支持されている停止時の、配管内に燃料が流れていない場合に、燃料フィルタユニット(41)内で発生したベーパーは燃料フィルタユニット(41)の流入口(60)側へ移動し、そのベーパーを流入口(60)から上流側フィルタ配管(42Ａ)を介して燃料タンク(19)に戻すことができる。したがって燃料フィルタユニット(41)の側面上部に連なるベーパー戻し専用配管を別途設けることなく燃料フィルタユニット(41)のベーパーロックを防止することができる。
また、前記燃料一時貯留部(34)の燃料吸出し管(39)は、低い位置にあるので、燃料供給をスムーズにすると共に、ベーパー抜けを良好にすることができる。
【００１４】
請求項２の発明によれば、車両(２)が停車し、サイドスタンド(71)で支持され、車体が傾いている時でも、請求項１の効果は継続されるので、燃料フィルタユニット(41)のベーパーロックを防止することができる。
【００１５】
請求項３の発明によれば、車両(２)が停車し、サイドスタンド(71)で支持され、車体が傾いている時でも、燃料が前記上流側フィルタ配管(42Ａ)に流入しやすいので、燃料を有効利用することができる。
【００１６】
請求項４の発明によれば、車両(２)が停車し、サイドスタンド(71)で支持されている時でも、燃料フィルタユニット(41)内のクリーンサイドのベーパーを燃料ポンプ(37)側へ抜けやすくすることができる。
【００１７】
請求項５の発明によれば、前記燃料一時貯留部(34)の燃料吸出し管(39)は、前記車両(２)がメインスタンド(70)およびサイドスタンド(71)の何れで支持された時でも、前記燃料一時貯留部(34)の後下方に位置し、かつ前記サイドスタンド(71)と同じ側に位置するよう設けられて低い位置にあるので、燃料供給をスムーズにすると共に、ベーパー抜けを良好にすることができる。
【００１８】
請求項６の発明によれば、燃料フィルタユニット(41)のクリーンサイド（流出口(61)側）のベーパーは、ダーティサイド（流入口(60)側）へ抜けやすくなるので、いっそう効果的にベーパー抜きが可能になる。
【００１９】
請求項７の発明によれば、流入口(79)側及び流出口(80)側のエア抜け性を良好にすることができる。
【００２０】
請求項８の発明によれば、燃料タンク(19)に新たに給油する燃料と、同燃料タンク(19)に残っていた燃料との種類が異なり、アルコール濃度に差がある場合でも、フィルタケース(57,76)がサブタンクとして機能し、新旧の燃料は、フィルタケース(57,76)内で混合されるので、エンジン(10)の燃料噴射装置(47)へ送られる燃料中のアルコール濃度の変化を緩和することができる。したがって、ガソリンとアルコールとの割合に応じた適正な燃料噴射制御が可能となり、始動性・走行性を良好にすることができる。
また、請求項９および１０の発明によれば、基本的に、請求項１に記載の発明の効果が得られるとともに、装置の小型化とベーパー処理を向上させることができる。
【図面の簡単な説明】
【００２１】
【図１】本発明の一実施形態に係る燃料供給装置を搭載した自動二輪車の側面図である。
【図２】燃料タンクの左側面図である。
【図３】燃料タンクの下面図である。
【図４】燃料ポンプユニットの上面図である。
【図５】燃料ポンプユニットの下面図である。
【図６】図４のＶＩ矢視図であり、燃料ポンプユニットの右側面図である。
【図７】図４のＶＩＩ-ＶＩＩ断面図である。
【図８】燃料ポンプユニットが装着された状態の燃料タンクの下面図である。
【図９】燃料ポンプユニットとその下方の構造を示した左側面図である。
【図１０】燃料フィルタユニットの断面図である。
【図１１】車両が、サイドスタンドで支持されている時の、燃料タンクの横断面を正面から見た図である。
【図１２】本発明の第２実施形態に係る車両が、メインスタンドで支持されている時の、燃料タンク付近の横断面正面図である。
【図１３】上記車両が、サイドスタンドで支持されている時の、燃料タンク付近の横断面正面図である。
【図１４】本発明の第３実施形態に係る燃料フィルタユニットの断面図である。
【図１５】上記燃料フィルタユニットを備えた車両が、サイドスタンドで支持されている時の、燃料タンク付近の横断面正面図である。
【発明を実施するための形態】
【００２２】
図１は、本発明の一実施形態に係る燃料供給装置１を搭載した自動二輪車２の側面図である。図には車体カバーや座席等を取り外した状態が示してある。この自動二輪車２の主要フレームは、車両前部のヘッドパイプ３と、同ヘッドパイプ３から後下がりに伸びる左右一対のメインフレーム４と、同メインフレーム４に接続されている左右一対のピボットプレート５と、ヘッドパイプ３から下方に伸びるダウンフレーム６と、一端がメインフレーム４の中間部に接続されて後上がりに伸びる左右一対のリヤフレーム７と、上記ピボットプレート５から後方へ伸び、上記リヤフレーム７の後部に接続される支持フレーム８とからなっている。上記各フレームの間には、いくつかの細い補強フレーム９が設けてある。上記ダウンフレーム６は、エンジン10を介してピボットプレート５に接続されている。
【００２３】
ヘッドパイプ３にフロントフォーク11が回動可能に支持されている。フロントフォーク11の下端には前輪12が軸支され、フロントフォーク11の上部には操向ハンドル13が連結され、フロントフォーク11の中間部に前輪の上方を覆うフロントフェンダ14が支持されている。上記ピボットプレート５に、後輪15を支持する左右一対のリアフォーク16がピボット軸17を介して上下揺動可能に支持されている。エンジン10の駆動力はチェーン18を介して後輪15へ伝達される。
【００２４】
上記エンジン10は、メインフレーム４とダウンフレーム６とに吊り下げ支持されると共に、ダウンフレーム６の下部とピボットプレート５に、下部と後部を支持されている。エンジン10の上方において、燃料タンク19がメインフレーム４とリヤフレーム７に支持されて設けられている。燃料タンク19の後部の下側に、吸気系チャンバー20であるエアクリーナ21とレゾネータ22が設けてある。車体の下部にメインスタンド70とサイドスタンド71が設けてある。
【００２５】
図２は、自動二輪車２がメインスタンド70で支持されている時の姿勢における、上記燃料タンク19の左側面図である。Ｈは水平面を表す。燃料タンク19の前部にメインフレーム４への取付け部23が設けられ、燃料タンク19の後部にリヤフレーム７への取付け部24が設けてある。燃料タンク19内にタンク底板25が湾曲して設けてある。タンク底板25の後部下面は下方へ向いた凹部26となっている。この凹部26内にエアクリーナ21やレゾネータ22が位置する。燃料タンク19の上部に、燃料注入口27が設けてある。燃料タンク19の中に燃料ポンプユニット30が設けてあり、同燃料ポンプユニット30の下部はタンク底板25に取付けてある。
【００２６】
図３は、前記燃料タンク19の下面図である。燃料タンク19のタンク底板25の前半部に、円形の開口が設けてある。これは燃料ポンプユニット30を下から挿入して取付けるための燃料ポンプユニット挿入孔31である。燃料ポンプユニット挿入孔31の周囲部のタンク底板25は平面部となっており、ここに、複数のボルト32を保持したリング状部材28が、スポット溶接29によって取付けられている。上記複数のボルト32は燃料ポンプユニット30の取付けに用いられる。
【００２７】
図４は燃料ポンプユニット30の上面図である。図５は燃料ポンプユニット30の下面図である。図６は図４のＶＩ矢視図であり、燃料ポンプユニット30の右側面図である。図７は図４のＶＩＩ-ＶＩＩ断面図である。以下の図において、矢印Ｆｒ、矢印Ｒ、矢印Ｌは、車両の前方、右方、左方に対応する図示の各部材の前方、右方、左方を指している。
【００２８】
燃料ポンプユニット30の下部には、側面から張り出す円形のフランジ33が設けてある。このフランジ33は、燃料ポンプユニット30の取付けに際して、タンク底板25の下面の燃料ポンプユニット挿入孔31（図３）の周囲部に当接する部分である。図６、図７において、上記フランジ33より下方は燃料一時貯留部34となっている。燃料一時貯留部34は、タンク底板25より低い位置にある。燃料一時貯留部34は、燃料タンク19の内部に連通している。燃料一時貯留部34の上面は開放されており、燃料タンク19内の燃料は、燃料ポンプユニット30の側壁67が欠けている部分（図６）から、燃料一時貯留部34へ流入する。
【００２９】
図５において、燃料一時貯留部34の底壁38の後部に、左後方へ延出する燃料吸出し管39が一体に設けてある。燃料一時貯留部34の前部右側に、燃料吸込み管40が一体に設けてある。燃料吸込み管40の内側の端部は、図６に破線で示されるように、燃料ポンプ37の下部に接続されている。上記燃料一時貯留部34へ流入した燃料は、燃料吸出し管39から吸い出され、後述の燃料フィルタユニット41とフィルタ配管42とを経て、燃料吸込み管40から燃料ポンプ37に吸い上げられる。
【００３０】
図５において、取付け用フランジ33の下に設けられている燃料一時貯留部34の側壁は、２個の側壁筒状部43と２個の側壁平面部44とが交互に組み合わさった形状となっている。左側の側壁平面部44は電気配線のカプラ受け面45となっており、カプラ46が取付けられている。カプラ46は、燃料ポンプ37に電力を供給し、または、制御を行うための電気配線68を接続するものである。
【００３１】
図５の後部の右側の側壁平面部44には、燃料ポンプ37で昇圧された燃料を内燃機関10の燃料噴射装置47（図９）へ供給する燃料吐出管48が設置されており、燃料一時貯留部34の側壁と一体に形成されている。上記右側の側壁平面部44は燃料吐出管48に接続される燃料供給ホース49の継手49ａの端面がわずかな隙間を空けて位置するジョイントの受け面50となっている。
【００３２】
図７において、燃料ポンプ37の上部に、このポンプの吐出部51が設けてあり、この吐出部51に別体として製作された吐出通路部材52が接続されている。吐出通路部材52は途中で下方へ折れ曲がって下方の燃料吐出管48に接続されている。この燃料吐出管48は燃料供給ホース49（図８、図９）を介してエンジンの燃料噴射装置47（図９）に接続される。上記吐出部51の側方に、同吐出部51に連なる調圧弁53が設けてある。これは、燃料噴射装置47に供給する燃料が過剰圧力となることを防ぎ、一定圧力で供給されるようにするものであり、過剰圧力によって調圧弁53から吐出された燃料は燃料一時貯留部34へ戻る。
【００３３】
図６において、燃料ポンプユニット30の上部右側面の燃料残量計回転軸54に、燃料残量計のフロート55が、フロートアーム56を介して取付けてある。これによって燃料の残量を知ることができる。
【００３４】
図８は、上記燃料タンク19の下から燃料ポンプユニット30が装着された状態の燃料タンク19の下面図である。上記燃料ポンプユニット30を、燃料タンク19の下面の燃料ポンプユニット挿入孔31へ取り付けるに際しては、六角形板状部材35が用いられる。この六角形板状部材35は外周部が上記フランジ33の外周より大きい六角形の板であり、６個の角部に、それぞれボルト32（図３）を挿通するボルト挿通孔が設けてある。この六角形板状部材35の中央には上記燃料一時貯留部34が挿通される大径の孔が設けてある。燃料ポンプユニット30は、その上部を燃料ポンプユニット挿入孔31（図３）から燃料タンク19内に挿入し、上記六角形板状部材35の大径の孔に燃料一時貯留部34を挿通し、同六角形板状部材35を燃料ポンプユニット30のフランジ33の下面に当接させ、ボルト挿通孔に挿通したボルト32に、ナット36を螺合して締め付け、燃料ポンプユニット30を燃料タンク19の下面に固定する。
【００３５】
図９は、自動二輪車２がメインスタンド70で支持されている時の姿勢において、燃料タンク19を除去し、燃料ポンプユニット30とその下方の構造を示した左側面図である。Ｈは水平面を表す。図８〜図９において、燃料ポンプユニット30の下方に燃料フィルタユニット41が設けてある。燃料フィルタユニット41は六角形板状部材35から延出する支持部（図示省略）によって支持されている。燃料吸出し管39と燃料吸込み管40とは、途中に上記燃料フィルタユニット41を挟んで、フィルタ配管42によって接続されている。フィルタ配管42は、上流側フィルタ配管42Ａと下流側フィルタ配管42Ｂとからなっている。上記燃料吸出し管39と燃料フィルタユニット41との間は上流側フィルタ配管42Ａによって接続され、燃料フィルタユニット41と燃料吸込み管40との間は下流側フィルタ配管42Ｂによって接続されている。
【００３６】
燃料ポンプ37が駆動されると、燃料一時貯留部34の中の燃料が、燃料吸出し管39、上流側フィルタ配管42Ａ、燃料フィルタユニット41、下流側フィルタ配管42Ｂ、及び燃料吸込み管40を経由して、燃料ポンプ37に吸入され、燃料吐出管48から吐出される。
【００３７】
図９において、エンジン10は、シリンダブロック10ａ、シリンダヘッド10ｂ、シリンダヘッドカバー10ｃを備えている。上記燃料一時貯留部34の後方に吸気系チャンバー20であるエアクリーナ21とレゾネータ22が配置されている。シリンダヘッド10ｂの後部にスロットルボディ65が接続され、上記吸気系チャンバー20を経由した空気が、コネクティングチューブ69を経てスロットルボディ65に吸入される。スロットルボディ65は、スロットルバルブ66と燃料噴射装置47を備えている。燃料は、上記燃料ポンプユニット30から、燃料吐出管48と継手49ａと燃料供給ホース49と接続部49ｂとを経由して、上記燃料噴射装置47に送られ、上記吸気系チャンバー20を経由した空気と混合されて、シリンダヘッド10ｂの燃焼室へ供給される。
【００３８】
図１０は燃料フィルタユニット41の断面図である。フィルタケース57は、筒状部材58と蓋部材59とからなっている。筒状部材58には流入口60が設けてある。蓋部材59には流出口61が設けてある。中央貫通孔62aを備えたフィルタエレメント62の一端が蓋部材59の内面に接着剤63Ａを介して接着されている。フィルタエレメント62の他端には、接着剤63Ｂを介して円形板状部材64が貼り付けてある。流入口60には上流側フィルタ配管42Ａが接続され、流出口61には下流側フィルタ配管42Ｂが接続される（図８、図９）。流入口60から流入した燃料は、フィルタエレメント62の外側へ流入し、フィルタエレメント62の中を内方へ流れつつ浄化され、中央貫通孔62ａへ集まり、流出口61から流出する。流出した燃料は下流側フィルタ配管42Ｂと燃料吸込み管40を経由して燃料ポンプ37に吸込まれる。
【００３９】
揮発性が高い燃料では、車両停止中に燃料フィルタユニット41内の燃料が気化し、ベーパーが発生する。燃料は燃料タンク19から燃料フィルタユニット41へ自重で供給されるので、ベーパーによって燃料フィルタユニット41の流入口60が塞がれると、燃料が供給できなくなる。
【００４０】
図９において、燃料フィルタユニット41の流入口60は流出口61より高い位置に配置され、且つ上流側フィルタ配管42Ａは上流側ほど高所に配置されている。これは、自動二輪車２がメインスタンド70で支持されている停止時などにおいて、フィルタ配管42内に燃料が流れていない場合でも、燃料フィルタユニット41内で発生したベーパーは、燃料フィルタユニット41の流入口60側へ移動し、そのベーパーを流入口60から上流側フィルタ配管42Ａを介して燃料タンク19に戻すためである。したがって、従来設けられていたような、フィルタケースの側面上部に連なるベーパー戻し専用のガス抜き管を設けることなく、燃料フィルタユニット41のベーパーロックを防止することができる。
【００４１】
図１１は前記自動二輪車２が、サイドスタンド71で支持されている時の、燃料タンク19の横断面を正面から見た図であり、上流側フィルタ配管42Ａ、下流側フィルタ配管42Ｂ以外の配管は図示省略してある。Ｈは水平面を表す。前記自動二輪車２が停車し、サイドスタンド71で支持されている時は、自動二輪車２と共に燃料タンク19は、左側を下げて傾く。この状態においても、前記燃料フィルタユニット41は、流入口60が流出口61より高い位置となるよう車体に取付けられており、且つ、上流側フィルタ配管42Ａは上流側ほど高所に配置されている。したがって、車体が傾いている時でも、ベーパー戻しの効果は継続されるので、燃料フィルタユニット41のベーパーロックを防止することができる。
【００４２】
図１１の、サイドスタンド71で支持されている時の燃料タンク19の正面図に見られるように、上流側フィルタ配管42Ａの上流端は、サイドスタンド71と同じ側、即ち左側、に配置されている。燃料が少なくなっている時、自動二輪車２が停車し、サイドスタンド71で支持され、車体が傾いている時でも、燃料が上流側フィルタ配管42Ａに流入しやすいので、燃料を有効利用することができる。
【００４３】
前記自動二輪車２が停車し、メインスタンド70及びサイドスタンド71の何れで支持されている時でも、下流側フィルタ配管42Ｂは、燃料フィルタユニット41の流出口61から上方へ延出するよう配置されている。これによって、燃料フィルタユニット41内のクリーンサイド（流出口61側）で発生したベーパーを、燃料ポンプ37側へ抜けやすくすることができる。
【００４４】
図９に示されるように、前記上流側フィルタ配管42Ａが連結されている燃料吸出し管39は、燃料一時貯留部34に設けてあり、この燃料吸出し管39は、自動二輪車２がメインスタンド70及びサイドスタンド71の何れで支持された時においても、燃料一時貯留部34の後下方に位置し、且つサイドスタンド71と同じく左側に位置している。これによって、自動二輪車２が停車している時は、常に、燃料吸出し管39は、燃料一時貯留部34内において低い位置にあり、燃料供給をスムーズにすると共に、ベーパー抜けを良好にすることができる。
【００４５】
図１２は、本発明の第２実施形態に係る図であり、自動二輪車２をメインスタンド70で支持した時の、燃料タンク19付近の横断面正面図である。この燃料フィルタユニット41の構造は第１実施形態のものと同じであるが、燃料フィルタユニット41の姿勢を変更して、流入口60を上側、流出口61を下側として、円筒状の燃料フィルタユニット41の軸線がほぼ上下方向となるよう設置されていることが第２実施形態の特徴である。図１３は、上記自動二輪車２がサイドスタンド71で支持されている状態における、燃料タンク19付近の横断面正面図であり、燃料フィルタユニット41の軸線は鉛直となっている。このように配置することによって、燃料フィルタユニット41の流出口61側のベーパーが、燃料フィルタユニット41の流入口60側へ逆流して抜けやすくなるので、いっそう効果的にベーパー抜きが可能になる。
【００４６】
図１４は、本発明の第３実施形態に係る燃料フィルタユニット75の断面図である。フィルタケース76は、筒状部材77と蓋部材78とからなっている。流入口79は筒状部材77の側部に設けてある。流出口80は、第１実施形態と同様、蓋部材78に設けてある。フィルタエレメント62の構成及び取付け構造は、第１実施形態と同じである。
【００４７】
図１５は上記燃料フィルタユニット75を備えた自動二輪車２が、サイドスタンド71で支持されている状態における、燃料タンク19付近の横断面正面図であり、燃料フィルタユニット75の軸線はほぼ水平となっており、流入口79が上方へ向くよう燃料フィルタユニット75が自動二輪車２に設置されている。これによって、流入口79側及び流出口80側のエア抜け性を良好にすることができる。この効果は、自動二輪車２がメインスタンド70で支持されている時も同じである。
【００４８】
前記各実施形態の自動二輪車２においては、燃料として、ガソリン、又はアルコール、又はガソリンとアルコールの混合物を任意に使用することが可能である。燃料タンク19に新たに給油する燃料と、同燃料タンク19に残っていた燃料との種類が異なり、アルコール濃度に差がある場合でも、フィルタケース57,76がサブタンクとして機能し、新旧の燃料は、フィルタケース57,76内で混合されるので、エンジン10の燃料噴射装置47へ送られる燃料中のアルコール濃度の変化を緩和することができる。したがって、ガソリンとアルコールとの割合に応じた適正な燃料噴射制御が可能となり、始動性・走行性を良好にすることができる。上記の燃料噴射制御は、エンジン排気中の酸素濃度に基づいて燃料中のアルコール濃度を検知し、アルコール濃度に応じた制御を行うものである。
【００４９】
以上詳述したように、上記実施形態においては次のような効果がもたらされる。
（１）自動二輪車２がメインスタンド70で支持された直立状態において、燃料フィルタユニット41の流入口60は流出口61より高い位置に配置され、且つ上流側フィルタ配管42Ａは上流側ほど高所に配置されているので、燃料フィルタユニット41内で発生したベーパーは、燃料フィルタユニット41の流入口60側へ移動し、そのベーパーを燃料タンク19に戻すことができ、燃料フィルタユニット41のベーパーロックを防止することができる。
（２）自動二輪車２がサイドスタンド71で支持された傾斜状態においても、燃料フィルタユニット41の流入口60は流出口61より高い位置に配置され、且つ上流側フィルタ配管42Ａは上流側ほど高所に配置されているので、前項の効果と同様、燃料フィルタユニット41のベーパーロックを防止することができる。
（３）上流側フィルタ配管42Ａの上流端は、サイドスタンド71と同じ側、即ち左側、に配置されている。燃料が少なくなっている時で、自動二輪車２がサイドスタンド71で支持されている時でも、燃料が上流側フィルタ配管42Ａに流入しやすいので、燃料を有効利用することができる。
（４）メインスタンド70及びサイドスタンド71の何れで支持されている時でも、下流側フィルタ配管42Ｂは、燃料フィルタユニット41の流出口61から上方へ延出するよう配置されている。これによって、燃料フィルタユニット41内のクリーンサイド（流出口61側）で発生したベーパーは、燃料ポンプ37側へ抜けやすくすることができる。
（５）前記上流側フィルタ配管42Ａが連結されている燃料吸出し管39は、自動二輪車２がメインスタンド70、サイドスタンド71の何れで支持された時においても、燃料一時貯留部34の後下方に位置し、且つサイドスタンド71と同じく左側に位置しているので、常に燃料吸出し管39は、燃料一時貯留部34内において低い位置にあり、燃料供給をスムーズにすると共に、ベーパー抜けを良好にすることができる。
（６）第２実施形態において、燃料フィルタユニット41は、流入口60を上に流出口61を下にして長手方向が上下方向となるよう、自動二輪車２に設置されているので、燃料フィルタユニット41の流出口61側のベーパーが、燃料フィルタユニット41の流入口60側へ逆流して抜け易くなり、いっそう効果的にベーパー抜きが可能になる。
（７）第３実施形態の燃料フィルタユニット75においては、流入口79は筒状部材77の側部に上方を向くよう設けてあり、流出口80は、第１実施形態と同様、蓋部材78に設けてあるので、流入口79側及び流出口80側のエア抜け性を良好にすることができる。
（８）前記自動二輪車２においては、燃料として、ガソリン、又はアルコール、又はガソリンとアルコールの混合物の使用が可能である。燃料タンク19に新たに給油する燃料と、同燃料タンク19に残っていた燃料との種類が異なり、アルコール濃度に差がある場合でも、フィルタケース57,76がサブタンクとして機能し、新旧の燃料は、フィルタケース57,76内で混合されるので、エンジン10の燃料噴射装置47へ送られる燃料中のアルコール濃度の変化を緩和することができ、ガソリンとアルコールとの割合に応じた適正な燃料噴射制御が可能となる。
【符号の説明】
【００５０】
１…燃料供給装置、２…自動二輪車、10…エンジン、19…燃料タンク、25…タンク底板、30…燃料ポンプユニット、31…燃料ポンプユニット挿入孔、34…燃料一時貯留部、37…燃料ポンプ、39…燃料吸出し管、41…燃料フィルタユニット、42Ａ…上流側フィルタ配管、42Ｂ…下流側フィルタ配管、47…燃料噴射装置、57…フィルタケース、60…流入口、61…流出口、62…フィルタエレメント、70…メインスタンド、71…サイドスタンド、75…燃料フィルタユニット、76…フィルタケース、79…流入口、80…流出口。
【図１】
0005538149.tif 000002
【図２】
0005538149.tif 000003
【図３】
0005538149.tif 000004
【図４】
0005538149.tif 000005
【図５】
0005538149.tif 000006
【図６】
0005538149.tif 000007
【図７】
0005538149.tif 000008
【図８】
0005538149.tif 000009
【図９】
0005538149.tif 000010
【図１０】
0005538149.tif 000011
【図１１】
0005538149.tif 000012
【図１２】
0005538149.tif 000013
【図１３】
0005538149.tif 000014
【図１４】
0005538149.tif 000015
【図１５】
0005538149.tif 000016